【手続補正書】
【提出日】平成17年8月22日(2005.8.22)
【手続補正１】
【補正対象書類名】明細書
【補正対象項目名】全文
【補正方法】変更
【補正の内容】
【書類名】      明細書
【発明の名称】  パチンコ機
【特許請求の範囲】
【請求項１】  前面の中央上方に遊技領域が設けられているとともに、発射装置へ遊技球を供給するための供給皿をあて板に取り付けた中扉が、遊技領域の下側に片開き自在に設置されたパチンコ機であって、
あて板に水平な折返し部が形成されているとともに、供給皿の上端縁が、あて板の折返し部と同方向に折り返し形成されており、
供給皿の折返し部分が、あて板の折返し部に重合された状態で着脱自在に係着されていることを特徴とするパチンコ機。
【請求項２】  供給皿の裏面に嵌合突起を設ける一方、あて板に嵌合部を設け、かつ、該嵌合部の前方に嵌合突起をガイドするガイド溝を設けており、
ガイド溝に沿わせながら嵌合突起を嵌合部に挿入することによって、供給皿をあて板に取り付けたことを特徴とする請求項１に記載のパチンコ機。
【請求項３】  嵌合突起に挿通孔を設けるとともに、あて板の裏面にロック部材を移動可能に係着し、
供給皿の嵌合突起をあて板の嵌合部に挿入した状態で、あて板の裏面において嵌合突起の挿通孔にロック部材を挿通させることによって、供給皿をあて板に取り付けたことを特徴とする請求項２に記載のパチンコ機。
【発明の詳細な説明】
【０００１】
【発明の属する技術分野】
本発明は、パチンコ機に関するものである。
【０００２】
【従来の技術】
従来のパチンコ機として、図７の如きものが知られている。パチンコ機５１は、前面の中央上方に、各種の入賞装置を設置した略円形の遊技領域５２が設けられており、その遊技領域５２の前方に、ガラス板を嵌め込んだ前枠５３が、片開き自在に設けられている。さらに、前枠５３の下側には、発射装置へ遊技球を供給するための供給皿５５をあて板５６に取り付けた中扉５４が、片開き自在に設けられている。また、供給皿５５は、ネジ等の螺着手段によって、あて板５６の表面に取り付けられている。
【０００３】
【発明が解決しようとする課題】
しかしながら、上記従来のパチンコ機５１は、長時間使用された場合には、供給皿５５をあて板５６に螺着しているネジ等が緩んで、供給皿５５ががたつくことがある。さらに、場合によっては、供給皿５５があて板５６から外れてしまうこともある。また、製造時においては、供給皿５５のあて板５６への螺着に手間がかかるし、損傷した供給皿５５を取り外して修理する場合には、いちいちネジ等による螺着を解除しなければならず、面倒である。
【０００４】
本発明の目的は、上記従来のパチンコ機が有する問題点を解消し、長期間使用された場合でも、供給皿のあて板への取付強度が低下したりせず、しかも、製造時における供給皿のあて板への取り付けが容易な上、損傷した供給皿を修理する場合には、供給皿をあて板から容易に取り外すことができる実用的なパチンコ機を提供することにある。
【０００５】
【課題を解決するための手段】
本発明のうち、請求項１に記載された発明の構成は、前面の中央上方に遊技領域が設けられているとともに、発射装置へ遊技球を供給するための供給皿をあて板に取り付けた中扉が、遊技領域の下側に片開き自在に設置されたパチンコ機であって、あて板に水平な折返し部が形成されているとともに、供給皿の上端縁が、あて板の折返し部と同方向に折り返し形成されており、供給皿の折返し部分が、あて板の折返し部に重合された状態で着脱自在に係着されていることにある。
【０００６】
請求項２に記載された発明の構成は、請求項１に記載された発明において、供給皿の裏面に嵌合突起を設ける一方、あて板に嵌合部を設け、かつ、該嵌合部の前方に嵌合突起をガイドするガイド溝を設けており、ガイド溝に沿わせながら嵌合突起を嵌合部に挿入することによって、供給皿をあて板に取り付けたことにある。
【０００７】
請求項３に記載された発明の構成は、請求項２に記載された発明において、嵌合突起に挿通孔を設けるとともに、あて板の裏面にロック部材を移動可能に係着し、供給皿の嵌合突起をあて板の嵌合部に挿入した状態で、あて板の裏面において嵌合突起の挿通孔にロック部材を挿通させることによって、供給皿をあて板に取り付けたことにある。
【０００８】
【発明の実施の形態】
以下、本発明のパチンコ機の一実施形態について、図面に基づいて詳細に説明する。
【０００９】
図１は、本発明に係るパチンコ機を示したものである。パチンコ機１は、前面の中央上方に遊技領域（図示せず）が設けられており、その遊技領域には、各種の入賞装置（図示せず）が設置されているとともに、多くの障害釘（図示せず）が植設されている。また、周囲を覆う外枠２の内側に、ミドル枠（図示せず）が設置されており、そのミドル枠の左端縁に、前枠３が片開き自在に蝶着されている。そして、前枠３に取り付けられたガラス板４が、遊技領域の前方に位置した状態になっている。さらに、前枠３の下側には、発射装置（図示せず）へ遊技球を供給するための供給皿１６をあて板９に取り付けた中扉５が、左端縁を軸にして片開き自在に設置されている。なお、中扉５の下側には、下側機能部７が設置されており、その下側機能部７には、貯留皿８が、皿本体６と連通するように設けられている。
【００１０】
図８、図２〜図４は、それぞれ、中扉５の正面図、前方斜視図、平面図、後方斜視図であり、図５、図６は、中扉５の分解斜視図である（なお、図３、図５、図６においては、一部の部材の記載が省略されている）。中扉５のあて板９は、合成樹脂によって一体的に形成されている。そして、横長な長方形状の平板部１２の上端に、折返し部２４が、平板部１２の裏面から突出するように設けられており、その折返し部２４の上面には、３つの係合突起２５，２５・・が、ほぼ等間隔で設置されている。一方、平板部１２の下端に、底板１３が、平板部１２の前面から突出するように設けられており、その底板１３の上面の中央後方には、幅広な直方体状の取付部２６が突設されているとともに、取付部２６の左右両側には、嵌合凹部２７，２７が設けられている。各嵌合凹部２７，２７の内部の内側の壁面には、挿入孔４９が穿設されており、各嵌合凹部２７，２７の奥側には、後方基板４８が位置している。また、各嵌合凹部２７，２７の前方には、それぞれ、ガイド溝５７が連設されている。さらに、取付部２６の前面板４１の裏面であって、左右両端の嵌合凹部２７，２７と隣接する部位には、それぞれ、断面Ｌ字状で幅広な２つのガイド突起４５，４５が、先端の折れ曲がった部分を互いに内側に向け合った状態で、上下に平行に併設されている。また、取付部２６の前面板４１の各ガイド突起４５，４５・・と隣接した内側には、それぞれ、スリット４６が穿設されている。さらに、左右２組のガイド突起４５，４５の間には、それぞれ２個ずつ係着孔４７，４７が穿設されている。一方、平板部１２の左上方には、遊技球払出口１４が穿設されており、平板部１２の右中央には、正方形状の供給口１５が穿設されている。そして、平板部１２の裏面の供給口１５穿設部位の周囲には、発射装置に遊技球を１個ずつ送り出すための整流機構４４が設けられている。
【００１１】
また、供給皿１６は、合成樹脂によって一体形成された皿本体６、カバー部材１０、球貸装置１１等によって組み立て形成されている。皿本体６は、水平に設けられた球受け部１７の後端縁に、鉛直板１８が下向きに突設された形状を有している。そして、球受け部１７の左側には、受球凹部１９が設けられており、右下がりに傾斜した状態になっている。さらに、受球凹部１９の右側には、遊技球約１個分の幅を有する誘導溝２０が連設されている。なお、球受け部１７の右側には、球抜きレバー２１、バネ部材２２、可動部材２３等からなる球抜き機構４３が付設されている。加えて、球受け部１７の前側の周囲には、嵌合帯状体２８が突設されている。
【００１２】
一方、カバー部材１０は、下向きにコ字状のフレーム部２９の前方に、被覆部３０が突設された形状を有している。フレーム部２９は、あて板９の平板部１２の外周形状とほぼ同様な外周形状を有しており、上端が、後方に折り返されて折返し板３１になっている。そして、その折返し板３１には、ほぼ等間隔に、係合孔３２，３２・・が穿設されている。また、被覆部３０は、皿本体６の球受け部１７の前側の周縁と一致するように、前方に突出しており、ほぼ中央に、球貸装置１１に設けられた３つの球貸操作部１１ａ，１１ｂ，１１ｃを嵌め込むための嵌合孔５０ａ，５０ｂ，５０ｃが設けられている。さらに、被覆部３０の裏面の上端際には、嵌合溝３３が周設されており、被覆部３０の裏側の下端際であって、球貸装置１１の設置部位の両サイドには、四角柱状で中空の嵌合突起３４，３４が突設されている。そして、各嵌合突起３４，３４の先端際の左右両サイドには、挿通孔３５，３５が穿設されている。
【００１３】
上記した皿本体６、カバー部材１０、球貸装置１１等からなる供給皿１６は、２つのロック部材３６，３６によって、あて板９に着脱自在に取り付けられている。各ロック部材３６，３６は、あて板９の裏面に突設された上下一対のガイド突起４５，４５の間隔とほぼ同一間隔を有する帯状に形成されており、前面の内側の端縁際に、係着ピン３８が設けられている。また、裏面の中央に、摘み３９が突設されており、裏面の内側の端縁際に、ストッパ４０が突設されている。
【００１４】
図９〜図１１は、中扉５の組み立て構造を、図８のＡ−Ａ線断面において示したものである。中扉５を組み立てる場合には、まず、皿本体６の嵌合帯状体２８をカバー部材１０の裏面の嵌合溝３３に嵌合させて、皿本体６をカバー部材１０に装着する。一方、あて板９の裏面において、左右の一対のガイド突起４５，４５・・の間に、それぞれ、ロック部材３６，３６を挿入し、各ロック部材３６，３６の係着ピン３８を、あて板９の前面板４１に穿設されている係着孔４７，４７のうちの内側の係着孔４７に嵌入させる。次に、カバー部材１０のフレーム部２９の折返し板３１を、あて板９の折返し部２４と重ね合わせ、係合突起２５，２５・・を係合孔３２，３２・・に係着させる。また、それと同時に、図９の如く、カバー部材１０の裏面に突設された嵌合突起３４，３４を、あて板９の左右のガイド溝５７，５７に沿わせて、嵌合凹部２７，２７に挿入し、図１０の如く、各嵌合突起３４，３４の挿通孔３５，３５を、ロック部材３６，３６の先端部分（係着ピン３８と反対側の部分）の外側に位置させる。しかる後、図１１の如く、各ロック部材３６，３６を、それぞれ、外側にスライドさせて、各ロック部材３６，３６の先端部分を、各嵌合突起３４，３４の挿通孔３５，３５に挿通させ、各ロック部材３６，３６の係着ピン３８を、外側の係着孔４７に嵌入させる（なお、上記手順は、中扉５の組み立て手順の一例であり、中扉５の組み立て手順は、上記手順に何ら限定されない）。
【００１５】
上記の如く組み立てられた中扉５においては、皿本体６の左側の受球凹部１９が、あて板９に穿設された遊技球払出口１４の前方に位置し、誘導溝２０の先端が、あて板９に穿設された供給口１５と連通した状態になっている。また、平板部１２の中央よりやや上方に、皿本体６の球受け部１７が配置され、底板１３が、その皿本体６と平行に配置された状態になっている。なお、あて板９に取り付けられた皿本体６の受球凹部１９の前方には、モール部材４２が取り付けられている。
【００１６】
かかるパチンコ機１においては、供給皿１６の受球凹部１９に遊技球が供給されると、それらの遊技球は、誘導溝２０、供給口１５を介して、あて板６の裏側に付設された整流機構４４へと送り出され、１個ずつ発射装置へ送り出される。また、遊技領域に設けられた各種の入賞装置へ遊技球が入賞した場合には、機台の内部に設けられた遊技球払出装置（図示せず）から、賞品球が払い出され、遊技球払出口１４を介して、供給皿１６へ排出される。
【００１７】
パチンコ機１は、上記の如く、供給皿１６の裏面（カバー部材１０の裏面）に、先端際に挿通孔３５，３５を設けた嵌合突起３４，３４が設けられているとともに、あて板９に嵌合凹部２７，２７が設けられており、あて板９の裏面にロック部材３６，３６を移動可能に係着し、供給皿１６の嵌合突起３４，３４をあて板９の嵌合凹部２７，２７に挿入し、嵌合突起３４，３４の挿通孔３５，３５にロック部材３６，３６を挿通させることによって、供給皿１６があて板９に着脱自在に取り付けられているため、長時間使用された場合でも、供給皿１６のあて板９への取付強度が低下したりしない。また、製造時においては、供給皿１６をあて板９にきわめて容易に取り付けることができる。さらに、損傷した供給皿１６を修理する場合には、供給皿１６をあて板９から容易に取り外すことができる。
【００１８】
また、パチンコ機１は、あて板９に水平な折返し部２４が形成されているとともに、供給皿１６の上端縁（カバー部材１０の上端縁）が、あて板９の折返し部２４と同方向に折り返し形成されており（折返し板３１）、その折返し部分３１が、あて板９の折返し部２４に、積み重ねられた状態で着脱自在に係着されているため、供給皿１６とあて板９との取付強度がきわめて高く、強い衝撃を受けた場合でも、決して供給皿１６があて板９から外れたりしない。
【００１９】
さらに、パチンコ機１は、あて板９の嵌合凹部２７，２７の前方に、それぞれ、ガイド溝５７が設けられているので、それらのガイド溝５７，５７に沿わせることによって、供給皿１６の嵌合突起３４，３４を、非常に簡単に、あて板９の嵌合凹部２７，２７に挿入することができる。したがって、製造時やメンテナンス時における中扉５の組み立てがきわめて容易である。加えて、供給皿１６とあて板９との取付強度が一段と高いものとなっている。
【００２０】
なお、本発明のパチンコ機の構成は、何ら上記実施形態の態様に限定されるものではなく、外枠、前枠、中扉、（あて板、供給皿（皿本体、カバー部材、球貸装置等）等）、下側機能部、球抜き機構、整流機構、ロック部材、モール部材等の材質・形状・構造等の構成を、必要に応じて適宜変更することができる。
【００２１】
たとえば、供給皿は、上記実施形態の如く、皿本体、カバー部材、球貸装置等の複数の部材からなるものに限定されず、一体的に形成したものでも良い。しかしながら、供給皿が、上記実施形態の如く、皿本体、カバー部材、球貸装置等の複数の部材からなるものである場合には、各部材を射出成形等によって容易に安価に形成することができる、というメリットがある。
【００２２】
また、供給皿に設ける嵌合突起の個数は、２個に限定されず、１個でも良いし、３個以上でも良い。さらに、嵌合突起の設置位置も、供給皿の裏面の下端際に限定されず、供給皿の裏面の中央等、任意の位置に変更することができる。加えて、嵌合突起は、先端際に挿通孔を設けたものであれば良く、中空状のものに何ら限定されない。また、場合によっては、嵌合突起の先端際に、挿通孔の代わりに窪みを設けることも可能である。
【００２３】
一方、パチンコ機は、中扉が前枠とは別個に片開き自在に蝶着されたものに限定されず、中扉が前枠と一体になったものでも良い。
【００２４】
また、ロック部材は、突設された係着ピンをあて板の係着孔に嵌入することによってあて板に固定されるものに限定されず、穿設された係着孔にあて板に突設された係着ピンを嵌入させることによってあて板に固定されるものでも良いし、係着機構が設けられていないものでも良い。なお、ロック部材およびあて板に係着機構を設けた場合には、供給皿のあて板への取付強度の保持が、より信頼性の高いものとなる。
【００２５】
【発明の効果】
請求項１に記載されたパチンコ機は、あて板に水平な折返し部が形成されているとともに、供給皿の上端縁が、あて板の折返し部と同方向に折り返し形成されており、供給皿の折返し部分が、あて板の折返し部に重合された状態で着脱自在に係着されているため、供給皿とあて板との取付強度がきわめて高く、強い衝撃を受けた場合でも、決して供給皿があて板から外れたりしない。
【００２６】
請求項２に記載されたパチンコ機は、供給皿の裏面に嵌合突起を設ける一方、あて板に嵌合部を設け、かつ、該嵌合部の前方に嵌合突起をガイドするガイド溝を設けたため、供給皿の嵌合突起を、非常に簡単にあて板の嵌合部に挿入することができる。したがって、製造時やメンテナンス時における供給皿とあて板との組み立てがきわめて容易である。また、供給皿とあて板との取付強度が一段と高いものとなっている。
【００２７】
請求項３に記載されたパチンコ機は、嵌合突起に挿通孔を設けるとともに、あて板の裏面にロック部材を移動可能に係着し、供給皿の嵌合突起をあて板の嵌合部に挿入した状態で、あて板の裏面において嵌合突起の挿通孔にロック部材を挿通させることによって、供給皿をあて板に取り付けたため、長時間使用された場合でも、供給皿のあて板への取付強度が低下したりしない。また、製造時においては、供給皿をあて板にきわめて容易に取り付けることができる。さらに、損傷した供給皿を修理する場合には、供給皿をあて板から容易に取り外すことができる。
【図面の簡単な説明】
【図１】
パチンコ機を示す説明図である。
【図２】
中扉を示す説明図である。
【図３】
中扉を示す説明図である。
【図４】
中扉を示す説明図である。
【図５】
中扉を示す説明図である。
【図６】
中扉を示す説明図である。
【図７】
従来のパチンコ機を示す説明図である。
【図８】
中扉を示す説明図である。
【図９】
中扉の組み立て構造を示す説明図である。
【図１０】
中扉の組み立て構造を示す説明図である。
【図１１】
中扉の組み立て構造を示す説明図である。
【符号の説明】
１・・パチンコ機、２・・外枠、３・・前枠、４・・ガラス板、５・・中扉、６・・皿本体、７・・下側機能部、８・・貯留皿、９・・あて板、１０・・カバー部材、１１・・球貸装置、１１ａ〜１１ｃ・・操作部、１２・・平板部、１３・・底板、１４・・遊技球払出口、１５・・供給口、１６・・供給皿、１７・・球受け部、１８・・鉛直板、１９・・受球凹部、２０・・誘導溝、２１・・球抜きレバー、２２・・バネ部材、２３・・可動部材、２４・・折返し部、２５・・係合突起、２６・・取付部、２７・・嵌合凹部、２８・・嵌合帯状体、２９・・フレーム部、３０・・被覆部、３１・・折返し部、３２・・係合孔、３３・・嵌合溝、３４・・嵌合突起、３５・・挿通孔、３６・・ロック部材、３８・・係着ピン、３９・・摘み、４０・・ストッパ、４１・・前面板、４２・・モール部材、４３・・球抜き機構、４４・・整流機構、４５・・ガイド突起、４６・・スリット、４７・・係着孔、４８・・後方基板、４９・・挿入孔、５０ａ〜５０ｃ・・嵌合孔、５１・・パチンコ機、５２・・遊技領域、５３・・前枠、５４・・中扉、５５・・供給皿、５６・・あて板、５７・・ガイド溝。